(57)【特許請求の範囲】
【請求項１】
プレゼンス情報をネットワーク上へ配信するプレゼンティティと、
他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、
プレゼンスサービスに関連する種々の情報を格納するデータ格納手段と、
を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、
前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、
情報端末が、他の情報端末のプレゼンスを知る際に、情報端末の前記ウォッチャが他の情報端末に送信するプレゼンス購読要求に前記グループＩＤを付加するグループＩＤ付加工程と、
他の情報端末が、前記グループＩＤ付加工程を経て情報端末のプレゼンス購読要求を受信し、アクセスポイントとの接続によるプレゼンス情報を情報端末に送信する時に、自身と同じグループに所属している情報端末にのみ、前記接続支援情報をプレゼンスサービスで通知する第１の接続支援情報送信工程と、
を有することを特徴とするプレゼンスサービスを応用したアクセスポイント高速接続方法。
【請求項２】
プレゼンス情報をネットワーク上へ配信するプレゼンティティと、
他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、
プレゼンスサービスに関連する種々の情報を格納するデータ格納手段と、
を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、
前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、
情報端末が、他の情報端末のプレゼンスを知る際に、情報端末の前記ウォッチャが他の情報端末に送信するプレゼンス購読要求に前記グループＩＤを付加するグループＩＤ付加工程と、
他の情報端末が、前記グループＩＤ付加工程を経て情報端末のプレゼンス購読要求を初めて受信し、アクセスポイントとの接続による第１回目のプレゼンス情報を情報端末に送信する時に、同じグループＩＤに属する接続支援情報のすべてを送信することをプレゼンスサービスで通知する第２の接続支援情報送信工程と、
を有することを特徴とするプレゼンスサービスを応用したアクセスポイント高速接続方法。
【請求項３】
プレゼンス情報をネットワーク上へ配信するプレゼンティティと、
他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、
プレゼンスサービスに関連する種々の情報を格納するデータ格納手段と、
を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、
前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、
情報端末が、他の情報端末のプレゼンスを知る際に、情報端末の前記ウォッチャが他の情報端末に送信するプレゼンス購読要求に前記グループＩＤを付加するグループＩＤ付加工程と、
他の情報端末が、前記グループＩＤ付加工程を経て情報端末のプレゼンス購読要求を受信し、アクセスポイントとの接続によるプレゼンス情報を情報端末に送信する時に、自身と同じグループに所属している情報端末にのみ、前記接続支援情報をプレゼンスサービスで通知する第１の接続支援情報送信工程と、
他の情報端末が、前記グループＩＤ付加工程を経て情報端末のプレゼンス購読要求を初めて受信し、アクセスポイントとの接続による第１回目のプレゼンス情報を情報端末に送信する時に、同じグループＩＤに属する接続支援情報のすべてを送信することをプレゼンスサービスで通知する第２の接続支援情報送信工程と、
を有することを特徴とするプレゼンスサービスを応用したアクセスポイント高速接続方法。
【請求項４】
前記接続支援情報は、アクセスポイントのＭＡＣアドレスと、ＳＳＩＤ（Service Set Identifier）と、グループＩＤであり、
前記接続支援情報を受信した情報端末は、無線区間のスキャニングによりステルスモード設定中のアクセスポイントのＭＡＣアドレスを検出するＭＡＣアドレス検出工程を有することを特徴とする請求項１から３の何れか１項に記載のプレゼンスサービスを応用したアクセスポイント高速接続方法。
【請求項５】
前記接続支援情報は、情報端末における移動前のアクセスポイントのＳＳＩＤと、移動後のアクセスポイントのＳＳＩＤ、移動前のアクセスポイントのＳＳＩＤと移動後のアクセスポイントのＳＳＩＤとの間の移動（ハンドオーバ）にかかった時間を表す移動時間情報であり、
前記接続支援情報を受信した情報端末は、前記移動時間情報を参照して、ハンドオーバの所要時間が短いものから優先的にアクセスポイントへの接続を行う接続先設定工程を有することを特徴とする請求項１から３の何れか１項に記載のプレゼンスサービスを応用したアクセスポイント高速接続方法。
【請求項６】
情報端末の位置を検出し、対応する位置情報の送受信を行う位置検出手段があって、前記接続支援情報は、前記位置検出手段による位置情報を更に有することを特徴とし、
前記接続支援情報を受信した情報端末は、前記接続支援情報のリスト数が前記データ格納手段の有するリスト数の最大登録数に達したときに、前記位置情報を参照して、アクセスポイントの接続支援情報を接続可能性の低いものから優先的に削除する接続先削除工程を有することを特徴とする請求項４または５に記載のプレゼンスサービスを応用したアクセスポイント高速接続方法。
【発明の詳細な説明】
【０００１】
【発明の属する技術分野】
本発明は、プレゼンスサービスを応用したアクセスポイント高速接続方法に関するものであり、プレゼンスサービスに対応した無線端末が、無線ＬＡＮのサービスエリア内に移動してきたとき、または、無線端末の電源を投入したときに、無線ＬＡＮのアクセスポイントへ高速に接続させることのできるプレゼンスサービスを応用したアクセスポイント高速接続方法に関するものである。
【０００２】
【従来の技術】
近年、インターネット上でプレゼンスサービスやインスタントメッセージの利用が普及してきており、今後パソコンのみならず携帯端末を含む様々なデバイス上での利用が期待されており、標準化団体ＩＥＴＦなどで規格化されている。
【０００３】
このような中、セキュリティの観点から接続に関わる情報をアクセスポイントから報知せずに、無線端末から正しい設定情報（無線ＬＡＮの場合はＳＳＩＤ）でアクセスされたときだけ、アクセスポイントから無線端末へ応答を返すステルスモードと呼ばれるアクセスポイントの設定が一般化してきている。
【０００４】
標準化団体ＩＥＥＥで規格化されている無線ＬＡＮなどの近距離無線デバイスを搭載した無線端末が、設定情報の異なる多数のサービスを利用しようとした場合、▲１▼無線端末内に格納されている多数の設定情報をひとつ一つプログラムで試してアクセスポイントに接続するか、▲２▼ボタン等のユーザインターフェースで多数の設定情報の中からユーザに選択してもらいアクセスポイントに接続する必要がある。
【０００５】
前述の場合は設定情報の数に比例して無線端末とアクセスポイントの平均接続時間が遅くなってしまう問題があり、後述の場合は場所を移動するたびにユーザの操作が発生してしまい、ユーザの使い勝手を損ねるという問題がある。
【０００６】
このような問題は、リアルタイムサービスの利用にあたって円滑なコミュニケーションを阻害する要因となっている。このような阻害の要因を解消するための従来技術がいくつか存在している。
【０００７】
例えば特許文献１では、基地局との交信登録失敗時の基地局情報の失敗リストを端末内に格納することにより、効率的な接続をしている。また特許文献２では、過去に接続したネットワークアドレスを保存し、複数の基地局が存在する場合にはできるだけ同一ネットワークアドレスの基地局に接続することにより端末移動時の効率化を実現している。
【０００８】
しかし、特許文献１、２では、端末毎に独立しており、学習情報を格納した端末だけが効率的な接続を行うことができ、システム全体を効率的に運用するまでに時間がかかる。
【０００９】
【特許文献１】
特開２００２−２７５３１号公報
【特許文献２】
特開２００３−３７８６０号公報
【００１０】
【発明が解決しようとする課題】
上記事情を鑑みて本発明は、一度接続したアクセスポイントの情報を、そのアクセスポイントを利用する可能性があるユーザに限定して、プレゼンス情報と共に送信することにより、アクセスポイントがステルスモードに設定された環境においても、多くの無線端末をスムーズにアクセスポイントへ接続できるようにするプレゼンスサービスを応用したアクセスポイント高速接続方法を提供することを目的とする。
【００１１】
【課題を解決するための手段】
かかる目的を解決するため、請求項１に記載の発明は、プレゼンス情報をネットワーク上へ配信するプレゼンティティと、他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、プレゼンスサービスに関連する種々の情報を格納するデータ格納手段と、を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、情報端末が、他の情報端末のプレゼンスを知る際に、情報端末の前記ウォッチャが他の情報端末に送信するプレゼンス購読要求に前記グループＩＤを付加するグループＩＤ付加工程と、他の情報端末が、前記グループＩＤ付加工程を経て情報端末のプレゼンス購読要求を受信し、アクセスポイントとの接続によるプレゼンス情報を情報端末に送信する時に、自身と同じグループに所属している情報端末にのみ、前記接続支援情報をプレゼンスサービスで通知する第１の接続支援情報送信工程と、を有することを特徴とする。
【００１２】
請求項２に記載の発明は、プレゼンス情報をネットワーク上へ配信するプレゼンティティと、他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、プレゼンスサービスに関連する種々の情報を格納するデータ格納手段と、を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、情報端末が、他の情報端末のプレゼンスを知る際に、情報端末の前記ウォッチャが他の情報端末に送信するプレゼンス購読要求に前記グループＩＤを付加するグループＩＤ付加工程と、他の情報端末が、前記グループＩＤ付加工程を経て情報端末のプレゼンス購読要求を初めて受信し、アクセスポイントとの接続による第１回目のプレゼンス情報を情報端末に送信する時に、同じグループＩＤに属する接続支援情報のすべてを送信することをプレゼンスサービスで通知する第２の接続支援情報送信工程と、を有することを特徴とする。
【００１３】
請求項３に記載の発明は、プレゼンス情報をネットワーク上へ配信するプレゼンティティと、他の情報端末に対し、他の情報端末のプレゼンス情報を要求するためのプレゼンス購読要求を送信し、かつネットワーク上から配信されてきたプレゼンス情報を受信し、該プレゼンス情報を表示するウォッチャと、プレゼンスサービスに関連する種々の情報を格納するデータ格納手段と、を有する情報端末は、ネットワークが有しており、ステルスモード設定可能な所定のアクセスポイントに接続することで、他の情報端末に接続し、プレゼンス情報の提供・授受を行う際のプレゼンスサービスを応用したアクセスポイント高速接続方法であって、前記データ格納手段は、情報端末が、他の情報端末と接続可能な対象を表すグループを識別するグループＩＤと、情報端末が、ステルスモード設定中のアクセスポイントに接続するための接続支援情報とを格納することを特徴とし、情報端末が、他の情報端末のプレゼンスを知る際に、情報端末の前記ウォッチャが他の情報端末に送信するプレゼンス購読要求に前記グループＩＤを付加するグループＩＤ付加工程と、他の情報端末が、前記グループＩＤ付加工程を経て情報端末のプレゼンス購読要求を受信し、アクセスポイントとの接続によるプレゼンス情報を情報端末に送信する時に、自身と同じグループに所属している情報端末にのみ、前記接続支援情報をプレゼンスサービスで通知する第１の接続支援情報送信工程と、他の情報端末が、前記グループＩＤ付加工程を経て情報端末のプレゼンス購読要求を初めて受信し、アクセスポイントとの接続による第１回目のプレゼンス情報を情報端末に送信する時に、同じグループＩＤに属する接続支援情報のすべてを送信することをプレゼンスサービスで通知する第２の接続支援情報送信工程と、を有することを特徴とする。
【００１４】
請求項４に記載の発明は、請求項１から３の何れか１項に記載の発明において、前記接続支援情報は、アクセスポイントのＭＡＣアドレスと、ＳＳＩＤ（Service Set Identifier）と、グループＩＤであり、前記接続支援情報を受信した情報端末は、無線区間のスキャニングによりステルスモード設定中のアクセスポイントのＭＡＣアドレスを検出するＭＡＣアドレス検出工程を有することを特徴とする。
【００１５】
請求項５に記載の発明は、請求項１から３の何れか１項に記載の発明において、前記接続支援情報は、情報端末における移動前のアクセスポイントのＳＳＩＤと、移動後のアクセスポイントのＳＳＩＤ、移動前のアクセスポイントのＳＳＩＤと移動後のアクセスポイントのＳＳＩＤとの間の移動（ハンドオーバ）にかかった時間を表す移動時間情報であり、前記接続支援情報を受信した情報端末は、前記移動時間情報を参照して、ハンドオーバの所要時間が短いものから優先的にアクセスポイントへの接続を行う接続先設定工程を有することを特徴とする。
【００１６】
請求項６に記載の発明は、請求項４または５に記載の発明において、情報端末の位置を検出し、対応する位置情報の送受信を行う位置検出手段があって、前記接続支援情報は、前記位置検出手段による位置情報を更に有することを特徴とし、前記接続支援情報を受信した情報端末は、前記接続支援情報のリスト数が前記データ格納手段の有するリスト数の最大登録数に達したときに、前記位置情報を参照して、アクセスポイントの接続支援情報を接続可能性の低いものから優先的に削除する接続先削除工程を有することを特徴とする。
【００１７】
【発明の実施の形態】
以下、本発明の実施の形態を図面を参照して説明する。
【００１８】
＜特徴＞
本実施形態は、プレゼンスサービスに対応した無線端末が、無線ＬＡＮのサービスエリア内に移動してきたとき、または、無線端末の電源を投入したときに、無線ＬＡＮのアクセスポイントへ高速に接続させることのできる方法およびシステムに関するものである。
【００１９】
プレゼンスサービスは、在席や退席などのユーザ状態や、端末自体のオンラインやオフラインの状態を他の端末へ配信することによって、円滑なコミュニケーションを実現するための手段である。
【００２０】
このような中、無線ＬＡＮなどの通信方式では、セキュリティを向上させるためにアクセスポイントのＳＳＩＤ（Service Set Identifier）を報知しないステルスモードと呼ばれる設定を行うことが推奨されている。しかし、アクセスポイントをステルスモードに設定してしまうと、無線端末は、アクセスポイントとの接続端末内に登録されたすべてのＳＳＩＤをひとつ一つ試さなくてはならず、アクセスポイントとの接続に時間がかかる。
【００２１】
その結果、無線端末が無線ＬＡＮのサービスエリアに移動してきても直ぐにアクセスポイントに接続できず円滑なコミュニケーションを阻害する要因となっている。
【００２２】
本実施形態は、一度接続したアクセスポイントの情報を、そのアクセスポイントを利用する可能性があるユーザに限定して、プレゼンス情報と共に送信することにより、アクセスポイントがステルスモードに設定された環境においても、多くの無線端末をスムーズにアクセスポイントへ接続できるようにする方法を提供する。
【００２３】
但し、本実施形態に記載される構成要素、種類、組み合わせなどは特定的な記載がない限り、本発明の範囲をそれのみに限定する主旨ではなく単なる説明例に過ぎない。
【００２４】
＜実施の形態１の構成＞
図１は、本システムを実現するための構成について示している。
【００２５】
本システムは、インターネットまたはイントラネットのネットワーク上に設置された設定情報の異なる多数の無線ＬＡＮアクセスポイント１〜アクセスポイント３と、アクセスポイント１〜アクセスポイント３の間を自由に移動（ハンドオーバ）することのできる多数の無線端末１〜無線端末３から構成されている。
【００２６】
無線端末１〜無線端末３が、公共の場合はどこのネットワーク接続されているか分からないので、ネットワーク上に位置登録サーバを設定してもよい。また、既知のネットワークであれば、ブロードキャストで他の無線端末を探しても良い。
【００２７】
次に無線端末の構成を説明する。なお、無線端末１を構成している各ブロックは、無線端末２、３でも同様であり、付加されている符号も同様とする。
【００２８】
無線端末の構成要素であるプレゼンティティ１は、プレゼンスを提供する装置であり、アクセスポイントとの接続状況やユーザからの入力によって、プレゼンス情報をネットワーク上へ配信する機能を持つ。
【００２９】
ウォッチャ２は、他の無線端末のプレゼンティティ１へプレゼンス情報を要求するプレゼンス購読要求を送信すると共に、ネットワーク上から配信されてきたプレゼンス情報を受信して、ユーザに情報を表示する装置である。
【００３０】
プレゼンティティ１は、プレゼンス情報を要求してきたユーザのリストを保持しており、ウォッチャ２はプレゼンス購読要求を送信したユーザのリストを保持しているものとする。
【００３１】
データ格納手段３は、無線端末における一般的なデータ保持機構であり、フラッシュメモリやハードディスクなどで実現され、アクセスポイントに対する設定情報やユーザのグループ情報、さらにＭＡＣアドレス毎の設定情報との関連付けなどの接続支援情報を格納する。
【００３２】
接続支援情報格納判定部４は、ウォッチャ２によって受信されたプレゼンス情報の中に格納する接続支援情報を、データ格納手段３に格納すべきかどうかを判定する。
【００３３】
ネットワーク接続制御部５は、無線端末とアクセスポイントとの接続制御を行うと共に、その接続結果を、接続支援情報送信先決定部６へ通知する。
【００３４】
接続支援情報送信先決定部６は、無線端末が接続したアクセスポイントと同じＳＳＩＤを利用している無線端末を検出して、プレゼンティティ１へ通知する。
【００３５】
続いて図５〜図８を用いて、データ格納手段３で格納するテーブルの構造について説明しておく。
【００３６】
図５のテーブルには、会社の名称やホットスポットの名称など、無線端末が接続可能なグループを識別するためのグループＩＤを格納する。
【００３７】
図６のテーブルには、他のユーザが接続可能なグループを識別するためのグループＩＤと、そのユーザを識別するためのユーザＩＤを関連付けて格納する。
【００３８】
図７のテーブルには、無線端末とアクセスポイントが接続して通信を行うために必要なＳＳＩＤと、ＷＥＰキーやパスワードなどの認証情報と、そのアクセスポイントが所属するグループＩＤを格納する。
【００３９】
図８のテーブルには、無線端末がアクセスポイントと接続するための接続支援情報として、ＭＡＣアドレスとＭＡＣアドレス毎に図７のテーブルへ関連付けを行う設定ＩＤと、さらにフィールド毎にデータの格納時刻と、格納したデータを利用した時刻を格納する。
【００４０】
＜実施の形態１の動作＞
次に実施の形態１の動作を、図１のシステム構成図と、図２のシーケンスと、図５〜図１７のテーブル構成を用いて説明する。
【００４１】
図５〜図８は無線端末１のデータ格納手段３に格納される初期データとし、図９〜図１２は無線端末２のデータ格納手段３に格納される初期データとする。
【００４２】
始めに無線端末１は、ネットワーク接続制御部５において図７に格納されているＳＳＩＤと認証情報を一つ一つ無線ＬＡＮデバイスに設定して近隣のアクセスポイント１に接続を試みる（Ｓ１）。
【００４３】
接続が成功するとネットワーク接続制御部５は、図８に対してＭＡＣアドレスを主キーとして、接続に使用した図７の設定ＩＤと、格納時刻と利用時刻にアクセスポイント１へ接続した時刻を格納する。格納後の図８は図１３となる。
【００４４】
次に、無線端末１のユーザが無線端末２のプレゼンス情報を表示するようにウォッチャ２へ指示すると、ウォッチャ２は、無線端末１の所属している全てのグループＩＤを図５から読み出して、無線端末２へグループＩＤを格納したプレゼンス購読要求を送信する（Ｓ２）。
【００４５】
プレゼンス購読要求のプロトコル例を、図３に示す。この例では、一般的にソフトウェアの名前やバーションなどを格納するUser-AgentというタグにグループＩＤを乗せている（下線で示した部分）。
【００４６】
プレゼンス購読要求を受信した無線端末２のプレゼンティティ１は、プレゼンス購読要求からグループＩＤを取り出して、無線端末２の図９に存在するグループＩＤに対して、図１０に相手のユーザＩＤとグループＩＤを格納する（Ｓ３）。図９に存在しないグループＩＤについては、図１０に格納しない。格納後の図１０は、図１４となる。
【００４７】
さらに、プレゼンティティ１は、無線端末１から通知されたグループＩＤを検索キーとして図１１の設定ＩＤを求め、その設定ＩＤを検索キーとして図１２のＭＡＣアドレスを検出する。
【００４８】
例では、無線端末１から受信したグループＩＤは、"AA-Corp" 、"BB-Hotspot"なので、図１１から検出される設定ＩＤは、"01"、"02"となり、その設定ＩＤで図１２から検出されるＭＡＣアドレスは、"0007300CE034"となる。そして、在席・退席などのユーザ状態と共に、検出されたすべてのＭＡＣアドレスとＳＳＩＤとグループＩＤをプレゼンス情報で無線端末１へ送信する（Ｓ４）。プレゼンス情報のプロトコル例を、図４に示す。この例では、ＸＭＬの形式でデータを乗せている（下線で示した部分）。
【００４９】
プレゼンス情報を受信した無線端末１のウォッチャ２は、プレゼンス情報から接続支援情報であるグループＩＤとＳＳＩＤとＭＡＣアドレスの組を取り出して、接続支援情報格納判定部４に通知する。
【００５０】
接続支援情報格納判定部４は、図７とグループＩＤおよびＳＳＩＤが同じ、ＭＡＣアドレスを、図１３に格納する（Ｓ５）。格納後の図１３は、図１５となる。ただし、接続支援情報の最大格納数に達しているときは、利用時間の一番古いもの、また一度も利用していない接続支援情報がある場合には図１３へ格納した時間の一番古いものを削除して格納する。
【００５１】
次に、無線端末２が移動（ハンドオーバ）して、ネットワーク接続制御部５により新たにアクセスポイント２に接続する（Ｓ６）と、無線端末１と同様に、図１２にＭＡＣアドレスをキーとして、接続に使用した図１１の設定ＩＤと、格納時刻と利用時刻にアクセスポイント１へ接続した時刻を格納した後で、接続支援情報送信先決定部６へ接続中のアクセスポイント２のＭＡＣアドレスを通知する。格納後の図１２は、図１６となる。
【００５２】
ＭＡＣアドレスを通知された接続支援情報送信先決定部６は、ＭＡＣアドレスを検索キーとして図１６の設定ＩＤを求めた後、設定ＩＤを検索キーとして図１１のグループＩＤを求める。最後に、グループＩＤを検索キーとして図１４のユーザＩＤを検出することで、現在接続中のアクセスポイント２と同じグループに所属するユーザＩＤを求めることができる。そして、接続支援情報送信先決定部６は、求めたユーザＩＤとグループＩＤとＳＳＩＤとＭＡＣアドレスをプレゼンティティ１へ通知する。
【００５３】
プレゼンティティ１は、接続支援情報送信先決定部６から転送されたユーザＩＤに対しては、プレゼンスサービスの従来の在席・外出などのユーザ状態に加えて、接続支援情報として、グループＩＤとＳＳＩＤとアクセスポイントのＭＡＣアドレスをプレゼンス情報に格納して送信する（Ｓ７）。また、グループＩＤとＳＳＩＤとアクセスポイントのＭＡＣアドレスが複数存在する場合は複数格納する。また、プレゼンス購読要求を受信したユーザで接続支援情報送信先決定部６から通知されなかったユーザＩＤに対しては、従来通り、在席・外出などのユーザ状態のみを送信する。
【００５４】
プレゼンス情報を受信した無線端末１のウォッチャ２は、プレゼンス情報に接続支援情報が格納されている場合は、接続支援情報を取り出して接続支援情報格納判定部４へ通知する。接続支援情報格納判定部４は、通知されたＳＳＩＤとグループＩＤをキーとして図７から設定ＩＤを求め、その設定ＩＤをＭＡＣアドレスを主キーとした図１５に格納する（Ｓ８）。格納後の図１５は、図１７となる。
【００５５】
次に、無線端末１がアクセスポイント１からアクセスポイント２へ移動する。ここでアクセスポイント２がステルスモードを設定していたとしても、無線端末との同期を取るために、アクセスポイントは無線区間に対してＭＡＣアドレスを報知している（Ｓ９）。それにより、無線端末１のネットワーク接続制御部５は、無線区間をスキャンすることによりアクセスポイント２のＭＡＣアドレスを検出することができる（Ｓ１０）。
【００５６】
検出されたＭＡＣアドレスが図１７に登録されていた場合は、対応するＳＳＩＤと認証情報を使用して、直ぐにアクセスポイントへ接続することができるようになる（Ｓ１１）。
【００５７】
無線端末１のユーザは、無線端末２（もしくは他の無線端末）のプレゼンス情報を表示したいときは、Ｓ２の処理と同様にウォッチャ２へ指示し、ウォッチャ２は、無線端末１の所属している全てのグループＩＤを図５から読み出して、無線端末２（もしくは他の無線端末）へグループＩＤを格納したプレゼンス購読要求を送信していく（Ｓ１２）。
【００５８】
＜実施の形態２＞
実施の形態１では、プレゼンス情報に接続支援情報としてグループＩＤとＳＳＩＤとＭＡＣアドレスをプレゼンス情報で送信していたが、これらの情報の代わりとして、無線端末が複数のＳＳＩＤ間の移動（ハンドオーバ）に要した時間と、移動前のグループＩＤおよびＳＳＩＤと、移動後のグループＩＤおよびＳＳＩＤの組を用いることができる。
【００５９】
無線端末の接続可能なアクセスポイントの台数が非常に多く無線端末におけるＭＡＣアドレスの利用がアクセスポイントに対する高速接続に働きづらい時に、従来通りひとつ一つ設定情報を試して行く場合でも接続できる確率の高い設定から試していくことができる。
【００６０】
例えば、ＳＳＩＤ１からＳＳＩＤ２へは過去に最短３０秒で接続できたことがあり、ＳＳＩＤ１からＳＳＩＤ３へは過去に最短でも１時間の時間がかかっているとした場合、ＳＳＩＤ１の接続が外れた場合には、ＳＳＩＤ３よりも先にＳＳＩＤ２の接続設定を試みることにより、無駄な接続試行を削減できる。
【００６１】
この時、プレゼンス情報のプロトコル例を、図１８に示す。また、無線端末のデータ格納手段３に保存する図８のテーブルが図１９のようになる。
【００６２】
図１９は、図８の格納時刻と利用時刻に加え、図７のテーブルへ関連付けを行う移動前の設定ＩＤと移動後の設定ＩＤ、さらに、その２つの設定が異なるアクセスポイント間の移動時間を格納している。
【００６３】
図１９のテーブルに移動時間を格納するとき、移動前設定ＩＤと移動後設定ＩＤの組み合わせ順序に依存しないものとする。
【００６４】
また、無線端末内に、すでに同じ移動前のグループＩＤおよびＳＳＩＤと移動後のグループＩＤおよびＳＳＩＤの移動時間が格納されていた場合には、格納されている移動時間よりも小さい値のときのみ無線端末内への格納、および、プレゼンス情報に乗せて送信を行う。
【００６５】
これにより、多数の無線端末間で設定の異なるアクセスポイント間の最小移動時間を共有することができる。
【００６６】
＜実施の形態３＞
ＧＰＳや他の通信手段から無線端末の位置が検出できる場合、接続したアクセスポイントの位置情報を実施の形態１の図８に追加して格納するとともにプレゼンス情報で他の無線端末へ送信することにより、図８のテーブルが最大登録数に達したときに、位置情報を元にして端末が接続する可能性の低いアクセスポイントの接続支援情報から削除することができる。
【００６７】
例えば、利用実績のあるアクセスポイントがすべて関東地方のアクセスポイントであり、他の端末から通知された関西地方のアクセスポイントがあった場合はそのアクセスポイントに接続する可能性が低いと見なして削除することができる。
【００６８】
この時、プレゼンス情報のプロトコル例を、図２０に示す。また、無線端末のデータ格納手段３に保存する図８のテーブルが図２１のようになる。
【００６９】
図２１は、図８の項目に加え、アクセスポイントの位置情報を示す緯度と経度を格納している。
【００７０】
【発明の効果】
本発明の第１の効果は、一度接続したアクセスポイントの接続情報をプレゼンス情報に格納して送信することである。これにより、インターネットまたはイントラネット上に無線端末が多数存在する場合においても極端にネットワークの負荷をかけることなくシステム全体のアクセスポイントに対する接続性能を向上させることができる。
【００７１】
第２の効果は、プレゼンス購読要求にグループＩＤを格納するということである。これにより、プレゼンスを利用しているユーザ間であっても接続する可能性のないアクセスポイントの情報を送信することを防ぐことができ、不要な情報の漏洩およびネットワーク負荷を軽減できる。
【図面の簡単な説明】
【図１】実施の形態１におけるプレゼンスサービスのシステム構成図である
【図２】実施の形態１の動作におけるシーケンスである。
【図３】プレゼンス購読要求のプロトコルの一例である。
【図４】プレゼンス情報のプロトコルの一例である。
【図５】実施の形態１における無線端末１のデータ格納手段３に格納されるテーブルの構造例（初期データ）である。
【図６】実施の形態１における無線端末１のデータ格納手段３に格納されるテーブルの構造例（初期データ）である。
【図７】実施の形態１における無線端末１のデータ格納手段３に格納されるテーブルの構造例（初期データ）である。
【図８】実施の形態１における無線端末１のデータ格納手段３に格納されるテーブルの構造例（初期データ）である。
【図９】実施の形態１における無線端末２のデータ格納手段３に格納されるテーブルの構造例（初期データ）である。
【図１０】実施の形態１における無線端末２のデータ格納手段３に格納されるテーブルの構造例（初期データ）である。
【図１１】実施の形態１における無線端末２のデータ格納手段３に格納されるテーブルの構造例（初期データ）である。
【図１２】実施の形態１における無線端末２のデータ格納手段３に格納されるテーブルの構造例（初期データ）である。
【図１３】図２の動作処理Ｓ１後の図８のテーブルである。
【図１４】図２の動作処理Ｓ３後の図１０のテーブルである。
【図１５】図２の動作処理Ｓ５後の図１３のテーブルである。
【図１６】図２の動作処理Ｓ６後の図１２のテーブルである。
【図１７】図２の動作処理Ｓ８後の図１５のテーブルである。
【図１８】実施の形態２におけるプレゼンス情報のプロトコルの一例である。
【図１９】実施の形態２における無線端末のデータ格納手段３に格納されるテーブルの構造例である。
【図２０】実施の形態３におけるプレゼンス情報のプロトコルの一例である。
【図２１】実施の形態３における無線端末のデータ格納手段３に格納されるテーブルの構造例である。
【符号の説明】
１  プレゼンティティ
２  ウォッチャ
３  データ格納手段
４  接続支援情報格納判定部
５  ネットワーク接続制御部
６  接続支援情報送信先決定部
【図１】
0003714340.tif 000002
【図２】
0003714340.tif 000003
【図３】
0003714340.tif 000004
【図４】
0003714340.tif 000005
【図５】
0003714340.tif 000006
【図６】
0003714340.tif 000007
【図７】
0003714340.tif 000008
【図８】
0003714340.tif 000009
【図９】
0003714340.tif 000010
【図１０】
0003714340.tif 000011
【図１１】
0003714340.tif 000012
【図１２】
0003714340.tif 000013
【図１３】
0003714340.tif 000014
【図１４】
0003714340.tif 000015
【図１５】
0003714340.tif 000016
【図１６】
0003714340.tif 000017
【図１７】
0003714340.tif 000018
【図１８】
0003714340.tif 000019
【図１９】
0003714340.tif 000020
【図２０】
0003714340.tif 000021
【図２１】
0003714340.tif 000022